(57)【要約】【課題】コンクリート板と遮音材、制振材を組み合わせることによって、遮音性を向上するとともに、運搬・建方コストを削減した床構造を提供する。【解決手段】コンクリート板と床板材とを組み合わせて構成する床構造であって、コンクリート板上面に遮音材、制振マットおよび床板材を重合して配置して構成し、前記遮音材はケイ酸カルシウム板であることを特徴とする、床構造。【選択図】図１
2015214804.tif 000002
【特許請求の範囲】
【請求項１】
コンクリート板と床板材とを組み合わせて構成する床構造であって、
コンクリート板上面に遮音材、制振マットおよび床板材を重合して配置して構成し、
前記遮音材はケイ酸カルシウム板であることを特徴とする、
床構造。
【請求項２】
請求項１に記載の床構造において、
前記コンクリート板を梁上に配置し、
前記コンクリート板と前記梁との間に梁上防振材を配置することを特徴とする、
床構造。
【請求項３】
請求項１または２に記載の床構造において、
前記コンクリート板上面に所定の間隔をもって台形状のリブを複数突設し、
前記リブと前記遮音材との間にリブ上防振材を配置することを特徴とする、
床構造。
【請求項４】
請求項３に記載の床構造において、
前記リブ上防振材は、単一のリブ上においては所定の間隔をもって複数配置することを特徴とする、
床構造。
【発明の詳細な説明】
【技術分野】
【０００１】
本発明は、遮音性に優れた床構造に関するものである。
【背景技術】
【０００２】
特許文献１に示すように、遮音性能や床衝撃音低減性能（以下、合わせて「遮音性」とする）の向上を目的とした床構造として、平板状のコンクリート板上の角材を配置し、その上に床板材を配置する構造が知られている。
【先行技術文献】
【特許文献】
【０００３】
【特許文献１】特開２００１−３４８９８６号公報
【発明の概要】
【発明が解決しようとする課題】
【０００４】
前述した床構造には、以下のような問題点があった。
（１）遮音性を向上するためには、コンクリート板を厚くする必要があった。
（２）厚いコンクリート板は高重量であるため、運搬・建方コストが大きかった。
【０００５】
本発明は、コンクリート板と遮音材、制振材を組み合わせることによって、遮音性を向上するとともに、運搬・建方コストを削減した床構造を提供することを目的とする。
【課題を解決するための手段】
【０００６】
上記のような課題を解決する本発明の床構造は、コンクリート板と床板材とを組み合わせて構成する床構造であって、コンクリート板上面に遮音材、制振マットおよび床板材を重合して配置して構成し、前記遮音材はケイ酸カルシウム板であることを特徴とするものである。
また、前記コンクリート板を梁上に配置し、前記コンクリート板と前記梁との間に梁上防振材を配置するものである。
また、前記コンクリート板上面に所定の間隔をもって台形状のリブを複数突設し、前記リブと前記遮音材との間にリブ上防振材を配置するものである。
また、前記リブ上防振材は、単一のリブ上においては所定の間隔をもって複数配置するものである。
【発明の効果】
【０００７】
本発明の床構造は以上説明したようになるから、次のような効果のいずれかを得ることができる。
（１）コンクリート板の上面に、遮音性能を有する不燃性の遮音材を配置するため、コンクリート板を薄くしても床構造としての遮音性能および耐火性能を維持できる。
（２）コンクリート板が薄く軽量となるため、運搬・建方コストを削減できる。
（３）コンクリート板が薄く軽量となるため、大型重機の使えない狭小地での施工が可能となる。
（４）コンクリート板上面にリブを突設することにより、コンクリート板の剛性をたかめ、衝撃音を低減できる。
（５）リブを台形状にすることにより、リブ間の空隙も台形状となり、空隙内の空気伝播音を拡散して共振を防止できる。
【図面の簡単な説明】
【０００８】
【図１】本発明の床構造の説明図
【図２】本発明の床構造の断面図
【図３】その他実施例にかかる床構造の断面図（１）
【図４】その他実施例にかかる床構造の説明図
【図５】その他実施例にかかる床構造の断面図（２）
【発明を実施するための形態】
【０００９】
以下、図面を参照にしながら本発明の好適な実施の形態を詳細に説明する。
【実施例】
【００１０】
＜１＞基本的構成
本発明の床構造は、コンクリート板１と、コンクリート板１上面に配置する遮音材２、制振マット３および床板材４により構成する（図１、２）。
【００１１】
＜２＞コンクリート板
コンクリート板１は矩形の平板である。
コンクリート板１の内部には、鉄筋などの補強材（図示せず）を配置する。
コンクリート板１はプレキャストコンクリート板であり、剛性が高く、薄型である。
【００１２】
＜３＞遮音材
遮音材２はケイ酸カルシウム板である。
ケイ酸カルシウム板は軽量であり、遮音性能を有する。また、不燃性である。
遮音材２が遮音性能を有するため、コンクリート板１を薄くしても床構造全体の遮音性能は維持される。
また、ケイ酸カルシウム板は不燃性であるため、コンクリート板１を薄くしても床構造としての耐火性能は維持される。
遮音材２はコンクリート板１の上面に配置する。
【００１３】
＜４＞制振マット
制振マット３は、アスファルトマットである。
アスファルトマットは高比重で可撓性を有し、制振・遮音性能を有する。
制振マット３は、遮音材２の上面に配置する。
【００１４】
＜５＞床板材
床板材４は床仕上材であり、制振マット３の上面に配置する。
【００１５】
＜６＞遮音効果
＜６−１＞コンクリート板の剛性による遮音効果
コンクリート板１は内部に補強材を設けるため、高剛性となる。
コンクリート板１が高い剛性性能を有することにより、コンクリート板１により衝撃音を低減する。
【００１６】
＜６−２＞遮音材、制振マットによる遮音効果
本発明の床構造は遮音材２や制振マット３を有する。
遮音材２や制振マット３によって、固体伝播音を低減する。
【００１７】
＜６−３＞重合による遮音効果
本発明の床構造を構成するコンクリート板１、遮音材２、制振マット３、床板材４は全て材質が異なる。
本発明の床構造は、これらの異なる材質のものを重合して構成するため、共振を生じにくく、遮音効果が高い。
また、可撓性を有する制振マット３を硬質の遮音材２および床板材４によって挟むように重合することにより、制振マット３の制振効果が大きく発揮される。
【００１８】
＜７＞コンクリート板の軽量化による効果
コンクリート板１を薄くすることによりコンクリート板１が軽量となり、運搬・建方コストが削減できる。また、大型重機の使えない狭小地での施工も可能となる。
また、コンクリート板１が軽量になることにより、建築物躯体の負担を低減できる。
【００１９】
［その他実施例］
＜１＞梁上防振材
本発明の床構造は梁材５によって支持するが、梁材５とコンクリート板１との間に梁上防振材６を配置し、梁上防振材６によってコンクリート板１を支持してもよい（図３）。
梁上防振材６はポリウレタンや合成ゴム等のエラストマーからなる粘弾性を有する板体である。
粘弾性を有する梁上防振材６によって床構造のコンクリート板１を支持することにより、梁材５や柱に伝わる振動を低減することができる。
【００２０】
＜２＞リブ付きコンクリート板
上記実施例においては、コンクリート板１は平板であったが、コンクリート板１上面に、複数のリブ１１を突設した、リブ付きコンクリート板でもよい（図４、５）。
【００２１】
＜２−１＞リブ
リブ１１は、所定の間隔を設けて長手方向に平行に設ける。
リブ１１は、断面が台形状に形成する。
コンクリート板１はリブ１１によってさらに高剛性となり、衝撃音を低減する。
【００２２】
＜２−２＞リブ上防振材
リブ１１の上面にはリブ上防振材７を配置し、リブ上防振材７によって、遮音材２を支持する。
リブ上防振材７はエラストマーからなる板体である。
リブ上防振材７は単一のリブ１１上において連続して設けてもよいし、所定の間隔をもって複数配置してもよい。
リブ１１上にリブ上防振材７を配置するため、コンクリート板１と遮音材２との接触面積が小さくなり、コンクリート板１に伝わる振動を低減する。
【００２３】
＜２−３＞空隙
コンクリート板１のリブ１１上にリブ上防振材７および遮音材２を配置することにより、コンクリート板１、リブ１１、リブ上防振材７および遮音材２によって包囲される空隙８が形成される。
空隙８は断面が逆台形状であり、コンクリート板１の長手方向に連続している。
遮音材２の上面には可撓性を有する制振マット３が配置されているが、遮音材２があるため、空隙８内部に制振マット３が垂れ下がることがない。
床板材４上面からの床衝撃音は制振マット３および遮音材２によって低減されて、空隙８に伝播される。
空隙８は逆台形状であるため、空隙８底面やリブ１１の斜面で空気伝播音が反射・拡散することにより、共振を防止する。
【符号の説明】
【００２４】
１    コンクリート板
１１  リブ
２    遮音材
３    制振マット
４    床板材
５    梁材
６    梁上防振材
７    リブ上防振材
８    空隙
【図１】
2015214804.tif 000003
【図２】
2015214804.tif 000004
【図３】
2015214804.tif 000005
【図４】
2015214804.tif 000006
【図５】
2015214804.tif 000007
【手続補正書】
【提出日】平成27年8月11日(2015.8.11)
【手続補正１】
【補正対象書類名】特許請求の範囲
【補正対象項目名】全文
【補正方法】変更
【補正の内容】
【特許請求の範囲】
【請求項１】
コンクリート板と床板材とを組み合わせて構成する床構造であって、
コンクリート板上面に遮音材、制振マットおよび床板材を、前記制振マットを前記遮音材および前記床板材によって挟むように重合して配置して構成し、
前記遮音材はケイ酸カルシウム板であることを特徴とする、
床構造。
【請求項２】
請求項１に記載の床構造において、
前記コンクリート板を梁上に配置し、
前記コンクリート板と前記梁との間に梁上防振材を配置することを特徴とする、
床構造。
【請求項３】
請求項１または２に記載の床構造において、
前記コンクリート板上面に所定の間隔をもって台形状のリブを複数突設し、
前記リブと前記遮音材との間にリブ上防振材を配置することを特徴とする、
床構造。
【請求項４】
請求項３に記載の床構造において、
前記リブ上防振材は、単一のリブ上においては所定の間隔をもって複数配置することを特徴とする、
床構造。
【手続補正２】
【補正対象書類名】明細書
【補正対象項目名】０００６
【補正方法】変更
【補正の内容】
【０００６】
上記のような課題を解決する本発明の床構造は、コンクリート板と床板材とを組み合わせて構成する床構造であって、コンクリート板上面に遮音材、制振マットおよび床板材を、前記制振マットを前記遮音材および前記床板材によって挟むように重合して配置して構成し、前記遮音材はケイ酸カルシウム板であることを特徴とするものである。
また、前記コンクリート板を梁上に配置し、前記コンクリート板と前記梁との間に梁上防振材を配置するものである。
また、前記コンクリート板上面に所定の間隔をもって台形状のリブを複数突設し、前記リブと前記遮音材との間にリブ上防振材を配置するものである。
また、前記リブ上防振材は、単一のリブ上においては所定の間隔をもって複数配置するものである。